(57)【特許請求の範囲】
【請求項１】
商用電源との接続と非接続のいずれかの状態を維持でき、接続時において、少なくとも映像表示及び音声再生に必要な電源を供給する第一の電源部と、
前記第一の電源部が商用電源と非接続状態であるとき、前記第一の電源への商用電源の接続を指示する信号を受け付け、前記第一の電源を商用電源に接続するための電源を供給する第二の電源部と、
前記第二の電源部による動作時に、前記第一の電源への商用電源の接続を指示する信号を受け付け、前記第一の電源に商用電源を接続する電源制御部と、
前記電源制御部を動作するための第三の電源部と、
前記第三の電源部が供給する電源により動作し、経過時間をカウントするカウンタ部と、
を具備し、
前記カウンタ部は、前記第一の電源部と商用電源とが接続した時点で、前記第一の電源部により動作する計時部に、カウント値を報知し、
前記電源制御部は、前記カウンタ部がカウントしたカウント値を計時部に報知する際に遅延成分の影響を、録画予約のタイマとして利用可能に補正する
電子機器。
【請求項２】
前記遅延成分の影響を、録画予約のタイマとして利用可能に補正する補正単位は、秒を単位とする請求項１記載の電子機器。
【請求項３】
前記電源制御部は、前記第二の電源部による動作時に、前記第一の電源部を所定のタイミングで商用電源に接続する請求項１または２記載の電子機器。
【請求項４】
前記電源制御部は、前記第二の電源部による動作時に、前記第三の電源部を所定のタイミングで充電する請求項１または２記載の電子機器。
【請求項５】
前記第三の電源部は、充電式である請求項２〜４のいずれかに記載の電子機器。
【請求項６】
映像を表示する表示部をさらに有する請求項１〜５のいずれかに記載の電子機器。
【請求項７】
少なくとも映像表示及び音声再生に必要な電源を供給する第一の電源部が商用電源と非接続状態であるとき、第一の電源を商用電源に接続するための電源を供給する第二の電源部により電源を供給して、第一の電源への商用電源の接続を指示する信号を受け付け、
第二の電源部による動作時に、受け付けた第一の電源への商用電源の接続を指示する信号に従い、第一の電源に商用電源を接続するとともに、
第三の電源部が供給する電源により動作し、経過時間をカウントするカウンタにより、第一の電源部と商用電源とが接続した時点で、第一の電源部により動作する計時部にカウント値を報知する際に、遅延成分の影響を、録画予約のタイマとして利用可能に補正する電源制御方法。
【請求項８】
遅延成分の影響を、録画予約のタイマとして利用可能に補正する補正単位は、秒を単位とする請求項７記載の電源制御方法。
【請求項９】
第二の電源は、第一の電源が商用電源と接続している間に充電される請求項７または８記載の電源制御方法。
【発明の詳細な説明】
【技術分野】
【０００１】
本発明の実施の形態は、電子機器及びその制御方法に関する。
【背景技術】
【０００２】
商用電源の供給を受けて動作する電子機器においては、通常動作時の消費電力の大きさに加え、最小限の入力指示を受けつける待機状態での消費電力が少ないことが要求されている。
【先行技術文献】
【特許文献】
【０００３】
【特許文献１】特開２０１１−１６０１４９号公報
【発明の概要】
【発明が解決しようとする課題】
【０００４】
消費電力の大きさについては、特に、待機状態においては、商用電源から供給を受ける電力が実質的にゼロであることが求められている。
【０００５】
本発明は、待機状態において、商用電源から取得する電力を、実質的にゼロとする電子機器及びその制御方法を提供するものである。
【課題を解決するための手段】
【０００６】
実施形態において、電子機器は、第一の電源部と、第二の電源部と、電源制御部と、第三の電源部と、カウンタ部と、を具備する。第一の電源部は、商用電源との接続と非接続のいずれかの状態を維持でき、接続時において、少なくとも映像表示及び音声再生に必要な電源を供給する。第二の電源部は、前記第一の電源部が商用電源と非接続状態であるとき、前記第一の電源への商用電源の接続を指示する信号を受け付け、前記第一の電源を商用電源に接続するための電源を供給する。電源制御部は、前記第二の電源部による動作時に、前記第一の電源への商用電源の接続を指示する信号を受け付け、前記第一の電源に商用電源を接続する。第三の電源部は、前記電源制御部を動作する。カウンタ部は、前記第三の電源部が供給する電源により動作し、経過時間をカウントする。
【図面の簡単な説明】
【０００７】
【図１】実施形態を適用する電子機器の一例を示す。
【図２】実施形態を適用する電子機器の側面の一例を示す。
【図３】実施形態を適用する電子機器の構成の一例を示す。
【図４】実施形態を適用する電子機器の電源部の一例を示す。
【図５】実施形態を適用する電子機器の電源部の省電力部の一例を示す。
【発明を実施するための形態】
【０００８】
以下、実施の形態について図面を参照して説明する。なお、以下に説明する要素や構成は、ハードウエアで実現するものであってもよいし、マイクロコンピュータ（Central Processing Unit、ＣＰＵ）すなわち処理装置等を用いてソフトウエアで実現するものであってもよい。
【０００９】
図１に示す電子機器、例えば空間波により、あるいはネットワークを経由して有線にて供給される放送（番組あるいはコンテンツと称することもある）を受信して再生する放送受信装置、例えばテレビジョン受信装置（テレビ装置と称することもある）１００の外観の例を示す。
【００１０】
放送受信装置（テレビ装置）１００は、映像を表示するディスプレイ（表示部４００）が設けられる本体１０１と、この本体１０１を自立可能な状態で支える脚部１０２とを供える。
【００１１】
本体１０１には、点灯部１０３、点灯部１０４、主電源ボタン１８７、エコセットスイッチ１８８、第１の受光部１６２、及び第２の受光部１９１が設けられている。点灯部１０３及び点灯部１０４は、点灯状態により放送受信装置１００の状態などを報知する。主電源ボタン１８７は、放送受信装置１００の電源状態を切り替える為のスイッチである。エコセットスイッチ１８８は、放送受信装置１００の電源状態を切り替える場合の動作を切り替える為のスイッチである。第１の受光部１６２及び第２の受光部１９１は、リモートコントローラから送信される信号を受け取る。
【００１２】
図２は、放送受信装置１００の側面部の例を示す。
【００１３】
放送受信装置１００の本体１０１の側面部には、主電源ボタン１８７及びエコセットスイッチ１８８が設けられている。なお、主電源ボタン１８７及びエコセットスイッチ１８８は、放送受信装置１００の本体１０１の上部、または背面部などに設けられていてもよい。またさらに、主電源ボタン１８７及びエコセットスイッチ１８８は、本体１０１のディスプレイ４００の側部などに設けられていてもよい。
【００１４】
図３は、放送受信装置１００の主要な構成の一例を示す。
【００１５】
放送受信装置１００は、放送入力端子１１０、チューナ１１１、復調部１１２、信号処理部１１３、通信インターフェース１１４、音声処理部１２１、映像処理部１３１、ＯＳＤ処理部１３２、表示処理部１３３、制御部１５０、操作入力部１６１、第１の受光部１６２、カードコネクタ１６４、ＵＳＢコネクタ１６６、ディスクドライブ１７０、及び電源制御部１８０を備える。また、放送受信装置１００は、さらにスピーカ３００及びディスプレイ４００を備える。
【００１６】
放送入力端子１１０は、例えばアンテナ２００により受信されるディジタル放送信号が入力される入力端子である。アンテナ２００は、例えば、地上ディジタル放送信号、ＢＳ（Broadcasting Satellite）ディジタル放送信号、及び／または、１１０度ＣＳ（Communication Satellite）ディジタル放送信号を受信する。即ち、放送入力端子１１０には、放送信号により供給される番組などのコンテンツが入力される。
【００１７】
放送入力端子１１０は、受信したディジタル放送信号をチューナ１１１に供給する。チューナ１１１は、ディジタル放送信号用のチューナである。チューナ１１１は、アンテナ２００から供給されるディジタル放送信号のチューニング（選局）を行う。チューナ１１１は、チューニングしたディジタル放送信号を復調部１１２に送信する。
【００１８】
復調部１１２は、受信するディジタル放送信号の復調を行う。復調部１１２は、復調したディジタル放送信号（コンテンツ）を信号処理部１１３に入力する。即ち、アンテナ２００、チューナ１１１、及び復調部１１２は、コンテンツを受信する受信手段として機能する。
【００１９】
信号処理部１１３は、ディジタル放送信号（動画のコンテンツデータ）に対して信号処理を施す信号処理手段として機能する。信号処理部１１３は、復調部１１２から供給されるディジタル放送信号に、信号処理を施す。即ち、信号処理部１１３は、ディジタル放送信号を映像信号、音声信号、及びその他のデータ信号に分離する。信号処理部１１３は、音声処理部１２１に音声信号を供給する。また、信号処理部１１３は、映像処理部１３１に映像信号を供給する。さらに、信号処理部１１３は、制御部１５０、及び／またはＯＳＤ処理部１３２にデータ信号を供給する。
【００２０】
信号処理部１１３は、通信インターフェース１１４から受信するディジタル信号に信号処理を施す。例えば、信号処理部１１３は、ディジタル信号をディジタル映像信号とディジタル音声信号とデータ信号とに分離する。信号処理部１１３は、音声処理部１２１にディジタル音声信号を供給する。また、信号処理部１１３は、映像処理部１３１にディジタル映像信号を供給する。さらに、信号処理部１１３は、制御部１５０、及び／またはＯＳＤ処理部１３２にデータ信号を供給する。
【００２１】
なお、信号処理部１１３は、通信インターフェース１１４に入力されるコンテンツと、放送入力端子１１０に入力されるコンテンツとのいずれかを選択し、処理を行う。即ち、信号処理部１１３は、ディジタル放送信号とディジタル信号のいずれかに対して信号の分離処理を行う。
【００２２】
音声処理部１２１は、信号処理部１１３から受信したディジタル音声信号を、スピーカ３００により再生可能なフォーマットの信号（オーディオ信号）に変換する。音声処理部１２１は、オーディオ信号をスピーカ３００に供給する。スピーカ３００は、供給されるオーディオ信号に基づいて音を再生する。
【００２３】
映像処理部１３１は、信号処理部１１３から受信した映像信号を、ディスプレイ４００で再生可能なフォーマットの映像信号に変換する。即ち、映像処理部１３１は、信号処理部１１３から受信した映像信号を、ディスプレイ４００で再生可能なフォーマットの映像信号にデコード（再生）する。また、映像処理部１３１は、ＯＳＤ処理部１３２から供給されるＯＳＤ信号を映像信号に重畳する。映像処理部１３１は、映像信号を表示処理部１３３に出力する。
【００２４】
ＯＳＤ処理部１３２は、信号処理部１１３から強雨されるデータ信号、及び／または制御部１５０から供給される制御信号に基づいて、ＧＵＩ（Graphical User Interface、グラフィカルユーザインタフェース）画面、字幕、時刻、または他の情報などを画面に重畳して表示するＯＳＤ信号を生成する。
【００２５】
表示処理部１３３は、例えば、制御部１５０からの制御に基づいて、受信した映像信号に対して色味、明るさ、シャープ、コントラスト、またはその他の画質調整処理を行う。表示処理部１３３は、画質調整を施した映像信号をディスプレイ４００に供給する。ディスプレイ４００は、供給される映像信号に基づいて映像を表示する。
【００２６】
ディスプレイ４００は、例えば、マトリクス状に配列された複数の画素を備える液晶表示パネルと、この液晶パネルを照明するバックライトとを備える液晶表示装置などを備える。ディスプレイ４００は、放送受信装置１００から供給される映像信号に基づいて映像を表示する。
【００２７】
なお、放送受信装置１００は、ディスプレイ４００の代わりに、映像出力端子を備える構成であってもよい。また、放送受信装置１００は、スピーカ３００の代わりに、音声出力端子を備える構成であってもよい。
【００２８】
制御部１５０は、放送受信装置１００の各部の動作を制御する制御手段（主制御ブロック）として機能する。制御部１５０は、ＣＰＵ（主制御ユニット）１５１、ＲＯＭ（読み出し専用メモリ）１５２、ＲＡＭ（書き換え可能（ランダムアクセス）メモリ）１５３、及びＥＥＰＲＯＭ（不揮発性メモリ）１５４、クロック（ＣＬＫ）１５５、サブマイコン１５６などを備えている。制御部１５０は、操作入力部１６１から供給される操作信号に基づいて、種々の処理を行う。
【００２９】
ＣＰＵ１５１は、種々の演算処理を実行する演算素子、ファームウエアを保持し、実行するメモリ領域などを備える。ＣＰＵ１５１は、ＲＯＭ１５２、またはＥＥＰＲＯＭ１５４などに記憶されているプログラムを実行することにより種々の機能を実現する。なお、ＣＰＵ１５１とサブマイコン１５６は、クロック（ＣＬＫ）１５５が発生するクロックに従い、動作される。
【００３０】
ＲＯＭ１５２は、放送受信装置１００を制御する為のプログラム、及び各種の機能を実現する為のプログラムなどを記憶する。ＣＰＵ１５１は、操作入力部１６１から供給される操作信号に基づいて、ＲＯＭ１５２に記憶されているプログラムを起動する。これにより、制御部１５０は、各部の動作を制御する。
【００３１】
ＲＡＭ１５３は、ＣＰＵ１５１のワークメモリとして機能する。即ち、ＲＡＭ１５３は、ＣＰＵ１５１の演算結果、ＣＰＵ１５１により読み込まれたデータ、操作入力部１６１もしくはリモートコントローラ（以下、リモコンと称する）１６３により入力される入力情報などを記憶する。
【００３２】
ＥＥＰＲＯＭ１５４は、各種の設定情報、及びプログラムなどを記憶する。
【００３３】
サブマイコン１５６は、図４及び図５を用いて後段で説明する電源制御部１８０のＡＣ電源制御モジュール１９０と連携し、画像信号を出力する出画処理や信号処理などの動作を停止し、最小限の入力指示を受けつける待機状態において、商用電源から取得する電力を実質的にゼロとするために有益である。なお、サブマイコン１５６は、第１の電源回路１８２と連携（協働）し、後段に説明する第２の待機状態の状態において、主として第２の受光部１９１により受け付ける放送受信装置１００の動作を制御する。
【００３４】
操作入力部１６１は、例えば、操作キー、キーボード、マウス、タッチパッドまたは操作入力に応じて操作信号を生成する事ができる他の入力装置などを備える入力手段である。例えば、操作入力部１６１は、操作入力に応じて操作信号を生成する。操作入力部１６１は、生成した操作信号を制御部１５０に供給する。
【００３５】
なお、タッチパッドは、静電センサ、サーモセンサ、または他の方式に基づいて位置情報を生成するデバイスを含む。また、放送受信装置１００がディスプレイ４００を備える場合、操作入力部１６１は、ディスプレイ４００と一体に形成されるタッチパネルなどを備える構成であってもよい。
【００３６】
第１の受光部１６２は、例えば、リモコン１６３からの操作信号を受信するセンサなどを備える。第１の受光部１６２は、受信した信号を制御部１５０に供給する。制御部１５０は、第１の受光部１６２から供給された信号を受信し、受信した信号を増幅させてＡ／Ｄ変換を行うことにより、リモコン１６３から送信された元の操作信号を復号する。
【００３７】
リモコン１６３は、ユーザの操作入力に基づいて操作信号を生成する。リモコン１６３は、生成した操作信号を赤外線通信により第１の受光部１６２に送信する。なお、第１の受光部１６２及びリモコン１６３は、電波などの他の無線通信により操作信号の送受信を行う構成であってもよい。
【００３８】
カードコネクタ１６４は、例えば、動画コンテンツを記憶するメモリカード１６５と通信を行う為のインターフェースである。カードコネクタ１６４は、接続されるメモリカード１６５から動画のコンテンツデータを読み出し、制御部１５０に供給する。
【００３９】
ＵＳＢ（Universal Serial Bus）コネクタ１６６は、ＵＳＢ機器１６７と通信を行う為のインターフェースである。ＵＳＢコネクタ１６６は、接続されるＵＳＢ機器１６７から供給される信号を制御部１５０に供給する。
【００４０】
例えば、ＵＳＢ機器１６７がキーボードなどの操作入力機器である場合、ＵＳＢコネクタ１６６は、操作信号をＵＳＢ機器１６７から受け取る。ＵＳＢコネクタ１６６は、受け取った操作信号を制御部１５０に供給する。この場合、制御部１５０は、ＵＳＢコネクタ１６６から供給される操作信号に基づいて種々の処理を実行する。
【００４１】
また、例えば、ＵＳＢ機器１６７が動画のコンテンツデータを記憶する記憶装置である場合、ＵＳＢコネクタ１６６は、コンテンツをＵＳＢ機器１６７から取得することができる。ＵＳＢコネクタ１６６は、取得したコンテンツを制御部１５０に供給する。
【００４２】
ディスクドライブ１７０は、例えば、コンパクトディスク（ＣＤ）、ディジタルバーサタイルディスク（ＤＶＤ）、ブルーレイディスク（Blu-ray Disk（登録商標）／ＢＤ）、または動画のコンテンツデータを記録可能な他の光ディスクＭを装着可能なドライブを有する。ディスクドライブ１７０は、装着される光ディスクＭからコンテンツを読み出し、読み出したコンテンツを制御部１５０に供給する。
【００４３】
電源制御部１８０は、放送受信装置１００の各部への電力の供給を制御する。電源制御部１８０は、例えば商用電源５００から電力を受け取る。商用電源５００は、交流の電力を電源制御部１８０に供給する。電源制御部１８０は、受け取った交流の電力を直流に変換し各部へ供給する。なお、電源制御部１８０は、例えば、ＡＣアダプタなどを介して変換された直流を直接受け付けるものであってもよい。
【００４４】
また、電源制御部１８０は、第２の受光部１９１と、蓄電手段としてのキャパシタとを備える。第２の受光部１９１は、リモートコントローラ１６３からの操作信号を受信するセンサなどを備える。電源制御部１８０は、第１の受光部１６２、または第２の受光部１９１により受信した操作信号に基づいて、放送受信装置１００の電源状態を制御する。
【００４５】
電源制御部１８０は、ＡＣアダプタなどを介して供給される電力をキャパシタに充電する。電源制御部１８０は、キャパシタに充電されている電力を用いて第２の受光部１９１を動作させる。
【００４６】
また、放送受信装置１００は、さらに他のインターフェースを備えていても良い。インターフェースは、例えば、Ｓｅｒｉａｌ−ＡＴＡ（Serial-Advanced Technology Attachment）、ＬＡＮ（Local Area Network）ポートなどである。放送受信装置１００は、インターフェースにより接続される機器に記録されているコンテンツを取得し、再生することができる。また、放送受信装置１００は、再生したオーディオ信号及び映像信号を、インターフェースにより接続される機器に出力することが出来る。
【００４７】
また、放送受信装置１００がインターフェースを介してネットワークに接続される場合、放送受信装置１００は、ネットワーク上の動画のコンテンツデータを取得し、再生することができる。
【００４８】
またさらに、放送受信装置１００は、ハードディスクドライブ（ＨＤＤ、大容量記憶装置）や、ＳＳＤ（Solid State Drive、すなわち半導体メモリ装置に対する記録と読み出しが可能なリーダライタ）などの記憶装置を備えていても良い。この記憶装置が動画のコンテンツデータを記憶する場合、放送受信装置１００は、この記憶装置に記憶されているコンテンツを読み出し、再生することが出来る。また、放送受信装置１００は、この記憶装置に例えば放送信号またはネットワークなどにより供給されるコンテンツを記憶することができる。
【００４９】
図４は、電源制御部１８０の構成の例を示す。
【００５０】
電源制御部１８０は、商用電源５００から供給される電力により放送受信装置１００の各部に電力を供給する。電源制御部１８０は、リレースイッチ１８１、第１の電源回路１８２、キャパシタ（充電池）１８４、ＰＦＣ（Power Factor Correction）回路１８５、第２の電源回路１８６、エコセットスイッチ１８８、及びＡＣ電源制御モジュール１９０を備える。また、ＡＣ電源制御モジュール１９０は、第２の受光部１９１、及び電源制御ＩＣ（節電チップ）１９２を備える。また、図１により示された主電源ボタン１８７が制御部１５０及び電源制御ＩＣ１９２に接続されている。また、図１及び３により示された第１の受光部１６２が制御部１５０に接続されている。
【００５１】
リレースイッチ１８１は、電気信号を受けて機械的な動作をするスイッチである。リレースイッチ１８１は、商用電源５００と第１の電源回路１８２との間に接続される。また、リレースイッチ１８１の後段には、さらにＰＦＣ回路１８５が接続されている。即ち、リレースイッチ１８１は、第１の電源回路１８２及びＰＦＣ回路１８５に商用電源５００からの交流電流を供給する状態（ＡＣ−ＯＮ状態）と、第１の電源回路１８２及びＰＦＣ回路１８５に商用電源５００からの交流電流を供給しない状態（ＡＣ−ＯＦＦ状態）と、をＯＮ／ＯＦＦにより切り替える。
【００５２】
第１の電源回路１８２は、交流電流を直流電流に変換するＡＣ／ＤＣ変換器を備える。第１の電源回路１８２は、商用電源５００から供給された交流電流を直流電流に変換し、キャパシタ１８４及び制御部１５０に供給する。例えば、第１の電源回路１８２は、商用電源５００から供給された交流電流を±５Ｖの直流電流に変換し、キャパシタ１８４及び制御部１５０に供給する。制御部１５０は、第１の電源回路１８２により供給される直流電流により動作することができる。
【００５３】
キャパシタ１８４は、静電容量により電荷の蓄積及び放出を行う蓄電手段として機能する。キャパシタ１８４は、第１の電源回路１８２から供給される直流電流を蓄積する。また、キャパシタ１８４は、蓄積した電力（容量）により所定の電圧の直流電流を電源制御ＩＣ１９２に供給する。電源制御ＩＣ１９２は、キャパシタ１８４により供給される直流電流により動作することができる。
【００５４】
なお、電源制御部１８０は、キャパシタ１８４の代わりに二次電池、コンデンサ、または電荷を蓄積し放出することができる他のモジュールなどを備える構成であってもよい。
【００５５】
ＰＦＣ回路１８５は、入力された所定の電圧の電流をより効率的に使用する為の力率改善回路である。ＰＦＣ回路１８５は、リレースイッチ１８１の出力端子に接続される。即ち、ＰＦＣ回路１８５は、商用電源５００供給される交流電流に対して位相補正を行い、補正した交流電流を第２の電源回路１８６に供給する。なお、ＰＦＣ回路１８５は、制御部１５０によりＯＮ／ＯＦＦが制御される。
【００５６】
第２の電源回路１８６は、交流電流を直流電流に変換するＡＣ／ＤＣ変換器を備える。第２の電源回路１８６は、商用電源５００から供給された交流電流を直流電流に変換し、放送受信装置１００内の信号処理系、及び出力系などに供給する。なお、第２の電源回路１８６は、制御部１５０によりＯＮ／ＯＦＦが制御される。
【００５７】
例えば、第２の電源回路１８６は、商用電源５００から供給された交流電流を±１２Ｖの直流電流に変換し、チューナ１１１、復調部１１２、信号処理部１１３、音声処理部１２１、映像処理部１３１、ＯＳＤ処理部１３２、及び表示処理部１３３などの信号処理系、並びにスピーカ３００及びディスプレイ４００などの出力系に供給する。即ち、上記の信号処理系及び出力系の各部は、第２の電源回路１８６により供給された直流電流により動作することができる。
【００５８】
なお、第２の電源回路１８６は、ＵＳＢコネクタ１６６、ディスクドライブ１７０、及び放送受信装置１００内の他のモジュールに直流電流を供給する構成であってもよい。
【００５９】
主電源ボタン１８７は、放送受信装置１００の電源状態を切り替える為のスイッチである。主電源ボタン１８７は、図１により示されたように、外部から操作可能な状態で設置されている。主電源ボタン１８７が押下された場合、主電源ボタン１８７は、制御部１５０または電源制御ＩＣ１９２に信号を送信する。
【００６０】
制御部１５０は、第１の受光部１６２または主電源ボタン１８７からの信号に基づいて、ＰＦＣ回路１８５及び第２の電源回路１８６のＯＮ（オン）／ＯＦＦ（オフ）を制御する。例えば、第１の電源回路１８２及び第２の電源回路１８６が動作している状態で電源操作の信号が第１の受光部１６２または主電源ボタン１８７から入力された場合、制御部１５０は、ＰＦＣ回路１８５及び第２の電源回路１８６をオフする。ＰＦＣ回路１８５及び第２の電源回路１８６がオフされることで、放送受信装置１００は、画像信号を出力する出画処理及び信号処理などを行わない、最小限の入力指示を受けつける待機状態に移行する。
【００６１】
エコセットスイッチ１８８は、放送受信装置１００の電源状態を切り替える場合の動作を切り替える為のスイッチである。エコセットスイッチ１８８は、リレースイッチ１８１と並列に接続される。図１により示されたように、外部から操作可能な状態で設置されている。エコセットスイッチ１８８は、外部からの操作に応じてＯＮ（オン）／ＯＦＦ（オフ）が切り替えられる。また、エコセットスイッチ１８８は、制御部１５０からの制御信号によりＯＮ／ＯＦＦが切り替えられる構成であってもよい。
【００６２】
エコセットスイッチ１８８がオン（短絡）された場合、リレースイッチ１８１のＯＮ／ＯＦＦに係らず、商用電源５００からの交流電流が第１の電源回路１８２及びＰＦＣ回路１８５に供給される。また、エコセットスイッチ１８８がオフ（開放）された場合、商用電源５００から第１の電源回路１８２及びＰＦＣ回路１８５への交流電流の供給がリレースイッチ１８１のＯＮ（オン）／ＯＦＦ（オフ）により切り替えられる。
【００６３】
ＡＣ電源制御モジュール１９０は、キャパシタ１８４からの直流電流の供給を受けて、リレースイッチ１８１のＯＮ／ＯＦＦを制御する。これにより、ＡＣ電源制御モジュール１９０は、商用電源５００からの交流電流の供給の有無を切り替える。なお、商用電源５００との接続（商用電源５００からの電力供給）が無い状態、すなわち実質的に商用電源５００から取得する電力が実質的にゼロとなる状態を、ＡＣオフ（待機時消費電力なし）状態と呼ぶ。
【００６４】
第２の受光部１９１は、リモートコントローラ１６３からの操作信号を受信するセンサなどを備える。第２の受光部１９１は、受信した信号を電源制御ＩＣ１９２に供給する。
【００６５】
電源制御ＩＣ１９２は、第２の受光部１９１から供給された信号を受信し、受信した信号を増幅させてＡ／Ｄ変換を行うことにより、リモコン１６３から送信された元の操作信号を復号する。電源制御ＩＣ１９２は、操作信号に基づいて、リレースイッチ１８１のＯＮ／ＯＦＦを制御する。また、電源制御ＩＣ１９２は、制御部１５０と接続されており、互いに制御信号の送受信を行なうことができる。またさらに、電源制御ＩＣ１９２は、主電源ボタン１８７と接続されており、主電源ボタン１８７から信号を受信することができる。
【００６６】
制御部１５０（サブマイコン１５６）及び電源制御ＩＣ１９２は、リレースイッチ１８１、エコセットスイッチ１８８、第１の電源回路１８２、及び第２の電源回路１８６の動作を制御することにより、放送受信装置１００を通常状態、第１の待機状態、及び第２の待機状態のいずれかの状態に制御する。
【００６７】
通常状態は、第１の電源回路１８２及び第２の電源回路１８６が動作しており、制御部１５０、信号処理系、及び出力系に電力を供給可能な状態である。即ち、放送受信装置１００が通常状態である場合、放送受信装置１００は、ディスプレイ４００に映像を表示させ、且つ、スピーカ３００に音声を再生させることができる。
【００６８】
第１の待機状態は、第１の電源回路１８２が動作しており、第２の電源回路１８６が停止している状態である。即ち、第１の待機状態は、制御部１５０に電力が供給され、信号処理系及び出力系に電力が供給されない状態である。この場合、放送受信装置１００は、映像の表示及び音声の再生を行わない。
【００６９】
なお、制御部１５０に電力が供給されている為、制御部１５０は、第１の受光部１６２からの信号を受信することができる。また、制御部１５０は、主電源ボタン１８７に電力を供給する。この為、制御部１５０は、第１の受光部１６２または主電源ボタン１８７からの信号に基づいてＰＦＣ回路１８５及び第２の電源回路１８６をＯＮさせることができる。これにより、制御部１５０は、放送受信装置１００を第１の待機状態から通常状態に復帰させることができる。
【００７０】
なお、第１の待機状態では、制御部１５０は、電源、および画面などのノイズの影響を受けやすい。この為、制御部１５０は、消費電力の大きいノイズ耐性のあるＩＣ（マイクロコンピュータ）が用いられることが好ましい。
【００７１】
第２の待機状態は、第１の電源回路１８２及び第２の電源回路１８６が停止している状態である。即ち、第２の待機状態は、制御部１５０、信号処理系、及び出力系に電力が供給されない状態である。この場合、放送受信装置１００は、映像の表示、音声の再生、及びＲＡＭ１５３の保持を行わない。また、サブマイコン１５６を除く制御部１５０に電力が供給されない為、第１の受光部１６２は、信号を受信することができない状態になる。
【００７２】
なお、電源制御ＩＣ１９２にはキャパシタ１８４から電力が供給される。この為、電源制御ＩＣ１９２は、第２の受光部１９１からの信号を受信することができる。また、電源制御ＩＣ１９２は、キャパシタ１８４から供給された電力の一部を主電源ボタン１８７に供給する。電源制御ＩＣ１９２は、第２の受光部１９１または主電源ボタン１８７からの信号に基づいてリレースイッチ１８１をオンさせることができる。これにより、サブマイコン１５６による第２の受光部１９１からの操作入力の受け付け、あるいは主電源ボタン１８７によるリレースイッチ１８１のオンに従う制御部１５０の起動により放送受信装置１００を第２の待機状態から通常状態に復帰させることができる。
【００７３】
エコセットスイッチ１８８がＯＮである場合、またはリレースイッチ１８１がＯＮである場合、制御部１５０は、第２の電源回路１８６の動作を制御することにより、放送受信装置１００を通常状態と第１の待機状態とで切り替えることができる。さらに、電源制御ＩＣ１９２がリレースイッチ１８１をＯＦＦにした場合、放送受信装置１００は、第２の待機状態に移行する。
【００７４】
なお、上述の第１の待機状態及び第２の待機状態のいずれの状態であるかを、ユーザに容易に視認させる（ユーザに報知する）ため、上述した点灯部１０３及び１０４の点灯の組み合わせを用いる。例えば、点灯部１０３は、放送受信装置１００における電源の状態を示す。また、点灯部１０４は、放送受信装置１００における予約録画、視聴予約などの状態を示す。点灯部１０３は、放送受信装置１００が通常状態である場合、第１の色で点灯する。また、点灯部１０３は、放送受信装置１００が第１の状態である場合、第２の色で点灯する。またさらに、点灯部１０３は、放送受信装置１００が第２の状態である場合、消灯する。
【００７５】
制御部１５０は、リモコン１６３または主電源ボタン１８７から、放送受信装置１００の電源のＯＮ／ＯＦＦを切り替える信号（電源操作信号）が入力された場合、第２の電源回路１８６の動作を停止させ、放送受信装置１００を第１の待機状態に移行させる。さらに、制御部１５０は、第２の電源回路１８６の動作を停止させてからの経過時間をカウントする。カウントした時間が予め設定された第１の待機時間に達する場合、制御部１５０は、リレースイッチ１８１をＯＦＦするように電源制御ＩＣ１９２にコマンドを送信する。なお、制御部１５０は、予め設定された第２の待機時間を示す情報をこのコマンドに付加する。
【００７６】
図５は、電源制御ＩＣ（節電チップ）１９２の構成例を示す。
【００７７】
電源制御ＩＣ１９２は、ＡＣ電源制御部１９３、信号受信部１９４、増幅器１９５、Ａ／Ｄ変換部１９６、及びカウンタ１９７を備える。なお、電源制御ＩＣ１９２の各部は、キャパシタ１８４から供給される直流電流により動作することができる。
【００７８】
ＡＣ電源制御部１９３は、リレースイッチ１８１のＯＮ／ＯＦＦを制御する。上記したように、制御部１５０からリレースイッチ１８１をＯＦＦするためのコマンドを受信した場合、ＡＣ電源制御部１９３は、リレースイッチ１８１をＯＦＦする。リレースイッチ１８１がＯＦＦされ、且つエコセットスイッチ１８８がＯＦＦされている場合、商用電源５００と放送受信装置１００とが接続されていない状態になる為、より待機中の電力消費を抑える（商用電源から取得する電力を実質的にゼロとする）ことができる。
【００７９】
信号受信部１９４は、第２の受光部１９１から送信された信号を受信する。増幅器１９５は、信号受信部１９４により受信した信号を増幅する。Ａ／Ｄ変換部１９６は、増幅器１９５により増幅された信号をディジタル信号に変換する。これにより、電源制御ＩＣ１９２は、リモートコントローラ１６３から送信された元の操作信号を復号することができる。カウンタ１９７は、サブマイコン１５６を経由して供給されるクロック（ＣＬＫ）１５５からのクロックをカウントして、経過時間をカウントする。すなわち、カウンタ１９７は、サブマイコン１５６と協働して、タイマとしての機能を提供する。
【００８０】
ＡＣ電源制御部１９３は、制御部１５０からコマンドを受信し、リレースイッチ１８１をＯＦＦした場合、カウンタ１９７により時間のカウントを開始する。ＡＣ電源制御部１９３は、カウンタ１９７によりカウントした時間が、コマンドが示す第２の待機時間に達する場合、リレースイッチ１８１をＯＮする。
【００８１】
また、上記したように、信号受信部１９４、増幅器１９５、及びＡ／Ｄ変換部１９６は、キャパシタ１８４からの電力の供給を受けて動作する。この為、電源制御ＩＣ１９２は、エコセットスイッチ１８８及びリレースイッチ１８１がＯＦＦの状態であっても、リモートコントローラ１６３から送信された信号を第２の受光部１９１により受信し、元の信号を復号することができる。
【００８２】
ＡＣ電源制御部１９３は、リレースイッチ１８１がＯＦＦの状態で、リモートコントローラ１６３または主電源ボタン１８７から放送受信装置１００の電源のＯＮ／ＯＦＦを切り替える電源操作信号が入力された場合、リレースイッチ１８１をＯＮする。
【００８３】
これにより、放送受信装置１００は、商用電源５００からの交流電流が第１の電源回路１８２に供給される状態になる。この結果、制御部１５０が起動し、映像の表示及び音声の再生が可能な状態になる。
【００８４】
なお、制御部１５０は、予め設定された第１の時刻になったことを認識した場合、リレースイッチ１８１をＯＦＦするように電源制御ＩＣ１９２にコマンドを送信する構成であってもよい。この場合、制御部１５０は、予め設定された第２の時刻を示す情報及び現時点の時刻を示す情報（時刻情報）をこのコマンドに付加する。このとき、現時点の時刻を示す情報（時刻情報）が、ＥＥＰＲＯＭ１５４に格納される。
【００８５】
また、この場合、ＡＣ電源制御部１９３は、制御部１５０からコマンドを受信し、リレースイッチ１８１をＯＦＦした場合、カウンタ１９７により時間のカウントを開始する。これにより、ＡＣ電源制御部１９３は、現時点の時刻を認識することができる。ＡＣ電源制御部１９３は、現時点の時刻が、コマンドが示す第２の時刻になった場合、リレースイッチ１８１をＯＮする。
【００８６】
なお、第２の待機状態では、第１の電源回路１８２、第２の電源回路１８６、信号処理、及び画面表示などが停止している。この為、電源制御（節電チップ）ＩＣ１９２には、制御部１５０のＩＣに比べて消費電力の小さいＩＣを用いることができる。
【００８７】
また、サブマイコン１５６は、第２の待機状態において、例えばＥＥＰＲＯＭ１５４が保持する録画予約などの動作を管理する。なお、第２の待機状態において、上述の通り、第１の電源回路１８２及び第２の電源回路１８６もオフ状態であるから、実質的に、計時機能も停止している。このため、カウンタ１９７がカウントするクロックを用いる上述のタイマとしての機能を確保することで、録画予約に従う放送受信装置１００の起動を実現する。
【００８８】
なお、サブマイコン１５６は、上述した第２の待機状態に切り替えられる際に現時点の時刻としてＥＥＰＲＯＭ１５４が保持した時刻情報とカウンタ１９７がカウントしたクロックとに基づき、主として第２の受光部１９１により受け付ける放送受信装置１００の動作（録画予約に従う放送受信装置１００の起動）を実現できる。この場合、カウンタ１９７が保持するカウント値（クロック数）をＥＥＰＲＯＭ１５４が保持した時刻情報と加算して本来の時刻とするまでの処理時間（遅延）を考慮して、概ね１秒、図示しない時計部（計時部）の計時結果に加算する。
【００８９】
サブマイコン１５６はまた、上述した第２の待機状態から上述の通常状態への復帰（商用電源との接続）がある毎に、電源制御ＩＣ（エコチップ）１９２、及び第１の電源回路１８２を制御してキャパシタ１８４を充電する。これにより、上述した第２の待機状態においてキャパシタ１８４から消費された電力に対応する（キャパシタ１８４の）蓄積容量の不足が、補填される。なお、サブマイコン１５６はまた、上述したキャパシタ１８４の充電について、一定期間の間、録画予約の実行などに伴う（放送受信装置１００の）起動がない（一定期間の間録画予約が設定されていない）などの要因によりキャパシタ１８４への充電が実行されない場合、例えば深夜帯などの電力事情に余裕がある時間帯に一時的に商用電源５００との間の通電を確保（第１の電源回路１８２がオンする第１の待機状態に遷移）して、キャパシタ１８４を充電する。これにより、録画予約のための予約情報が失われたり（消えたり）、あるいはカウンタ１９７によるクロック（ＣＬＫ）１５５のクロックのカウントが中断して時計（タイマ）機能が停止することが防止できる。
【００９０】
また、サブマイコン１５６とカウンタ１９７による計時は、一定期間経過後に放送受信装置１００を起動するオンタイマー機能の実現に用いることができる。
【００９１】
なお、上述のＡＣオフ状態においては、放送受信装置１００の本体１０１に設けられる上記点灯部１０３及び１０４は、何れもオフ（非点灯）とする。但し、録画予約に従う録画を実行する間、例えば点灯部１０４（図１参照、録画予約に基づく予約録画の実行中を示す）が点灯される。これにより、ユーザによる不所望なコンセントからの電源コードの取り外し、あるいはオフスイッチ機能つきコンセントの利用時のオフ状態の設定などにより、予約録画が中断されることを、避けることができる。
【００９２】
また、上述のＡＣオフ状態においても、通常深夜帯あるいは、一定期間毎に更新される番組情報（ＥＰＧ（Electric Program Guide、電子番組表）情報）を取得することの要求があるため、上述したキャパシタ１８４の充電のタイミングと併せ、一定期間毎に、商用電源５００との接続が実行されることが好ましい。なお、この場合、点灯部１０４のオン（点灯）は、ユーザによる設定に従い、非点灯（オフ状態を維持）とすることも可能である。
【００９３】
以上説明したように、実施形態を適用することで、待機状態において商用電源から取得する電力を実質的にゼロとするＡＣオフ状態（待機時ＡＣオフモード）を有する電子機器を提供できる。
【００９４】
また、ＡＣオフ状態は、これまでの待機モードにおいて消費する電力に比較して、さらに消費電力を削減できる。
【００９５】
なお、ＡＣオフ状態においても、録画予約に従う予約録画が実行可能であり、その場合に、ユーザによる不所望なコンセントからの電源コードの取り外し、あるいはオフスイッチ機能つきコンセントの利用時のオフ状態の設定などにより、予約録画が中断されることを、点灯部の点灯により、回避できる。
【００９６】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００９７】
１００…放送受信装置、１１０…放送入力端子、１１１…チューナ、１１２…復調部、１１３…信号処理部、１１４…通信インターフェース、１２１…音声処理部、１３１…映像処理部、１３２…ＯＳＤ処理部、１３３…表示処理部、１５０…制御部、１５１…ＣＰＵ、１５２…ＲＯＭ、１５３…ＲＡＭ、１５４…ＥＥＰＲＯＭ、１５５…クロック（ＣＬＫ）、１５６…サブマイコン、１６１…操作入力部、１６２…第１の受光部、１６３…リモートコントローラ、１６４…カードコネクタ、１６５…メモリカード、１６６…ＵＳＢコネクタ、１６７…ＵＳＢ機器、１７０…ディスクドライブ、１８０…電源制御部、１８１…リレースイッチ、１８２…第１の電源回路、１８４…キャパシタ、１８５…ＰＦＣ回路、１８６…第２の電源回路、１８７…主電源ボタン、１８８…エコセットスイッチ、１９０…ＡＣ電源制御モジュール、１９１…第２の受光部、１９２…電源制御ＩＣ、１９３…ＡＣ電源制御部、１９４…信号受信部、１９５…増幅器、１９６…Ａ／Ｄ変換部、１９７…カウンタ、１９８…基板、２００…アンテナ、３００…スピーカ、４００…ディスプレイ。
【要約】      （修正有）【課題】待機状態において、商用電源から取得する電力を、実質的にゼロとする電子機器及びその制御方法を提供する。【解決手段】電子機器は、第一の電源部と、第二の電源部と、電源制御部と、を具備する。第一の電源部は、商用電源との接続と非接続のいずれかの状態を維持でき、接続時において、少なくとも映像表示及び音声再生に必要な電源を供給する。第二の電源部は、前記第一の電源部が商用電源と非接続状態であるとき、前記第一の電源への商用電源の接続を指示する信号を受け付け、前記第一の電源を商用電源に接続するための電源を供給する。電源制御部は、前記第二の電源部による動作時に、前記第一の電源への商用電源の接続を指示する信号を受け付け、前記第一の電源に商用電源を接続する。【選択図】図４【図１】
0005148738.tif 000002
【図２】
0005148738.tif 000003
【図３】
0005148738.tif 000004
【図４】
0005148738.tif 000005
【図５】
0005148738.tif 000006